(57)【要約】【課題】トイレ等の室内と室外とを隔てる扉に設けるドアスコープの扉表面に衝接するフランジ部を安定性とデザイン性を兼ね備えた構成としたものを提供すること。【解決手段】扉１０の表面１２の開口１６に装着される一対の透光筒要素２６、４０を具備し、それら両透光筒要素２６、４０を開口内に挿通し、相互に合体せしめることにより扉の片側から他の片側へ透光筒体２４を経て光を透過させるドアスコープ２０を形成し、透光筒要素の少なくとも一方の筒要素の端部に予め選定した外形々状を有し、中央にその筒要素の端部が臨む窓孔５３、６３を備えた金属板材製フランジ５０、６０を設け、同金属板製フランジ５０、６０を扉１０の内側表面、外側表面における一方の表面に折り返し５２、６２を介して密着、定着させる構造とした。【選択図】図２
2006057310.tif 000002
【特許請求の範囲】
【請求項１】
扉の表面の所定開口位置に装着される一対の透光内側筒要素と透光外側筒要素とを具備して成り、前記透光内側筒要素を前記扉の内側表面から前記透光外側筒要素を前記扉の外側表面から開口内に挿通し、相互に合体せしめることにより扉の片側から他の片側へ透光筒体を経て光を透過させるドアスコープにおいて、
前記一対の透光内側筒要素と透光外側筒要素の少なくとも一方の筒要素の端部に予め選定した外形々状を有し、中央に該筒要素の端部が臨む窓孔を備えた金属板材製のフランジを設け、前記金属板製フランジを前記扉の内側表面、外側表面における一方の表面に密着、定着させる構造としたことを特徴とするドアスコープ。
【請求項２】
前記一対の透光内側筒要素と透光外側筒要素の両方の筒要素の端部に予め選定した外形々状を有し、中央に該筒要素の端部が臨む窓孔を備えた金属板材製のフランジをそれぞれ設けるようにした請求項１に記載のドアスコープ。
【請求項３】
前記金属板製フランジは正方形等の角型形状を有した薄肉板部材として形成され、フランジ端面全周に前記扉表面へ向けて曲折させた折返しを設けた請求項1又は２に記載のド
アスコープ。
【請求項４】
前記の金属板材製のフランジに設けた窓孔の縁に扉開口内に向いた結合爪を形成し、該結合爪を前記筒体の外周面に凹設した係合溝に嵌着、係止させ、当該金属板材製フランジ、筒体の両者を一体化させる構造とした請求項１〜３の何れか1項に記載のドアスコープ。
【請求項５】
前記の一対の透光内側筒要素と透光外側筒要素とは両者の一方の筒孔内面に他方の外筒周面を、オーリングを介して係入し、止まり嵌めにより相互に合体させて透光筒体を扉開口内に構成した請求項１〜４の何れか1項に記載のドアスコープ。
【発明の詳細な説明】
【技術分野】
【０００１】
本発明は、例えばトイレ等、窓を設けない扉に取付けることによって、室内側の光を室外側へ通過させる明かり取りないしドアスコープに関する。
【背景技術】
【０００２】
トイレや写真現像暗室等のように建物の構造上から又は意図的に窓を設けないような室の入口に装備される入口扉においては、室内が現在使用中であるかどうかを示す手段としては、室内からサムターン等からなる鍵を掛けたときに、室外側の取手の周辺に赤色表示が現れるようにしたものは従来から広く採用されている。然しながら、このような赤色表示方式では、夜間や入口扉の前面周囲が暗い場所にあるとその表示が外部から近いた者に対して見えにくいために、見落とす場合があって不便であったり、またはサムターンを掛け忘れていた場合などでは、うっかり外部の者が扉を開けてしまう危惧が有る等の不利がある。
【０００３】
また、電灯のスイッチボタンに近接して補助電球等が取付けられ、室内が点灯されたときにその補助電球も同時に点灯されて外部で見えるようになっているものがあり、この場合は、スイッチ部分を見れば補助電灯の点灯で夜間の暗い場所でも室内が使用されているかどうかがわかるが、配線を要する等の点で構造がやや複雑であり、また室内の様子を直室外に伝えるものではないため一見してわかりにくく、スイッチ部分の補助電球や配電部が故障した場合には室内の点灯が明瞭には識別できなくなくなってしまうという不都合な問題があった。
【０００４】
そこで、配線の工事を行わずに、簡単な構造で室内の点灯状態を直接見ることができるように、特許文献１の特開平11-１７３０３０号に開示された高透光材料で形成した透光
体を扉の一部に形成した開口部に装着したものがある。
この場合の透光体の扉開口に対する取付は、扉の片側から挿通させた軸体形状の光透過本体の末端に集光レンズを配し、先端に形成した雄ねじを扉の反対側から開口へ挿通した蓋形状体の雌ねじに螺合させ、上記軸体形状の光透過本体と蓋形状体とで扉を挟持して固定する構造或いはその雄ねじ、雌ねじの螺合に代えて軸と軸孔との止まり嵌合を採用して扉を挟持し、透光体を扉の開口位置に固定する手段が取られている。
【０００５】
他方、特許文献２の特開平１０−１０２９４０号は、明かり窓またはスコープのワンタッチ取付け構造としてスコープ用の雄部材の先端に雄ねじを設けた弾力を有した微動板を数箇所に設け、雌部材の内面に雌ねじを設けて雄、雌両部材の押し込みで螺動させることなく、一気に両者をねじ結合させるものを開示している。
【０００６】
しかしながら、前者の特許文献１のものでは雄ねじ、雌ねじの加工、形成は比較的製造コストが大である上に取り付けも簡便性に欠け、止まり嵌め構造のものでは、やはり嵌合精度の関係から製造コストが大で、また取り付け施工時の扉に設ける開口精度等にも依存してぐらつきの無い装着が達成できないことがしばしば有る等の点で不利があり、また扉面と光透過体との当り部は、多くは樹脂材料製の光透過体と同じような樹脂材からなり、せいぜい簡単な鍔部を形成する程度のデザインが採用されているに過ぎない。
他方、特許文献２のものでは、取付け操作性の簡便性はあるが、微動板に雄ねじを保持させた構造は、製造段階で比較的高度の製造技術を要する点でコスト高となり、弾力性の有した樹脂素材の選択の必要性から素材自体が高級化して扉面との衝合部に設ける鍔部（フランジ）も余り自由な形状を選択できず、小径環状フランジ等に限定されることとなる点でデザイン性に欠ける欠点がある。
【０００７】
【特許文献１】特開平１１−１７３０３０号公報
【特許文献２】特開平１０−１０２９４０号公報
【０００８】
上述のように、従来の明かり取りやドアスコープでは、明かりを透過させる機能と共に扉への装着構造に改善、工夫の焦点が当てられ、扉の表面との対比において人の目線が集中するこの種ドアスコープないし明かり取り部に関するデザイン性をも保有せしめる点には工夫の関心が至っていなかったのが現状である。
【発明の開示】
【発明が解決しようとする課題】
【０００９】
よって、本発明の目的は、透光機能を有した明かり取りないしドアスコープの扉面への装着安定性とデザイン性との両者を兼ね備えることが可能な新規構造を有したドアスコープを提供せんとするものである。
【課題を解決するための手段】
【００１０】
上述の目的に鑑みて、本発明は、扉の表面の所定開口位置に装着される一対の透光内側筒要素と透光外側筒要素とを具備して成り、前記透光内側筒要素を前記扉の内側表面から前記透光外側筒要素を前記扉の外側表面から開口内に挿通し、相互に合体せしめることにより扉の片側から他の片側へ透光筒体を経て光を透過させるドアスコープにおいて、
上記一対の透光内側筒要素と透光外側筒要素の少なくとも一方の筒要素の端部に予め選定した外形々状を有し、中央に該筒要素の端部が臨む窓孔を備えた金属板材製のフランジを設け、前記金属板製フランジを前記扉の内側表面、外側表面における一方の表面に密着、定着させる構造としたことを特徴とするドアスコープを形成したものである。
また、所望に応じて、上記一対の透光内側筒要素と透光外側筒要素の両方の筒要素の端部に予め選定した外形々状を有し、中央に該筒要素の端部が臨む窓孔を備えた金属板材製のフランジをそれぞれ設けるようにしても良い。
【００１１】
好ましくは、上記の金属板製フランジは正方形等の角型形状を有した薄肉板部材として形成され、フランジ端面全周に前記扉表面へ向けて曲折させた折返しを設ける構造とする。
【００１２】
また、前記の金属板材製のフランジに設けた窓孔の縁に扉開口内に向いた爪を形成し、該爪を前記筒体の外周面に凹設した係合溝に嵌着、係止させ、当該金属板材製フランジ、筒体の両者を一体化させる構造とすることが好ましい。
【００１３】
前記の一対の透光内側筒要素と透光外側筒要素とは両者の一方の筒孔内面に他方の外筒周面を、オーリングを介して係入し、止まり嵌めにより相互に合体させて透光筒体を扉開口内に構成することが好ましい。
【発明の効果】
【００１４】
上述した本発明のドアスコープによれば、一対の透光内側筒要素と透光外側筒要素の少なくとも一方の筒要素の端部又は両方の筒要素の端部に予め選定した外形々状を有し、中央に該筒要素の端部が臨む窓孔を備えた金属板材製のフランジを設け、その金属板製フランジを扉の内側表面、外側表面における表面に密着、定着させる構造としたことから、金属板材をステンレス金属板、アルミニウム金属板、銅金属板等の材種、色種を所望に応じて選択し、しかも外形々状を角形、円形、多角形、星形等の種々の形状から選択した形状としてデザイン性を付与させ、かつ板部材であることから扉の表面に密着、定着させ得るから扉が設置される建物の室領域の雰囲気に合致させたドアスコープを形成し得ることとなり、ドアスコープの商品性を高め得ると同時に明り取り機能上にも従来と何ら遜色のな
いものとすることができる。
また、金属製のフランジは、金属板材料から切断と穴明け加工、絞り加工などの一連の板金加工過程を経て容易に加工、製造できるのでコスト高を招くようなこともなく美麗なドアスコープの製造に寄与することができる。以下、本発明を添付図面に示す実施の形態に基づいて更に詳細に説明する。
【発明を実施するための最良の形態】
【００１５】
図１は、本発明の典型的な実施形態に係るドアスコープを扉の表面における視線位置付近に装着した状態を示している。
本実施の形態では、扉１０が把手１５によって開閉されるとき、扉１０を装着する室内と室外との境界部に開閉可能に設ける扉１０において、扉表面１２におけるちょうど人の平均的な視線位置、つまり高さ約１．４メートル程度の位置にドアスコープ２０を装着し、扉１０の閉扉時に室内側から室外側へ該ドアスコープ２０を通して透光が行われるように構成した場合である。つまり、ドアスコープ２０の中心部に透光孔２２が形成されており、この透光孔２２から光が室外側へ投射されていれば、室外側にいる人間は、室内に人が滞在、占有して外部からの他人の入室を拒否していることを認識することができるのである。なお、透光孔２２には適宜に集光性のレンズやカット表面を有した光散乱部材等をガラスや透明プラスチック材を用いて形成して装着し、透光の認識度合いを高めるようにすることが好ましい。
【００１６】
次に図２を参照すると、同図には図１に示したドアスコープ２０を形成する透光筒体２４の構成要素である一対の透光内側筒要素２６と透光外側筒要素４０とが扉１０に取付けられる前の段階にある状態が図示されている。
【００１７】
透光筒体２４の透光内側筒要素２６は、扉１０の内側、つまり室内側から同扉１０の装着部位の開口に挿通される筒形部品として例えば合成樹脂材料の成形加工品として形成され、筒部２７、筒部２７の基端側に一体形成されて取り付け時に扉表面（内側表面）に衝接するフランジ部２８、同筒部２７の先端部位の全周にオーリング３２を装着する凹溝２９等を有して形成されている。そして、筒部２７、フランジ部２８を貫通して透光路となる円筒孔３１が設けられている。
【００１８】
他方、透光筒体２４の透光外側筒要素４０は、扉１０の外側、つまり室外側から同扉１０の装着部位の開口に挿通される筒形部品として形成される。
この場合に、同透光外側筒要素４０は、筒部４１を備え、この筒部４１の中心に透光孔として又透光内側筒要素２６における筒部２６が挿入、嵌合される組立て孔としての円筒孔４２が形成されている。上記の透光内側筒要素２６と透光外側筒要素４０とは相互に扉１０の開口内に挿通して嵌合させたとき、前者の透光内側筒要素２６の凹溝２９に装着された上記のオーリング３２が透光外側筒要素４０の円筒孔４２内において止まり嵌め効果を発揮し、扉１０の開口内に定着されるように成っている。
【００１９】
更に、透光外側筒要素４０の筒部４１の外周には、相互に周方向に略１８０度隔てた位置に二筋の軸方向に伸びた縦溝４３（片側の溝だけが見えている）が設けられ、後述する金属フランジ５０との取り付け固定に用いられる。
さて、金属フランジ５０はステンレス板、アルミニウム板、銅板などの適宜に選択された板金加工に適し、かつ表面の美しさをも有した金属薄板材料を用いて形成される独立の板金加工品として予め製造、加工される。この金属フランジ５０は、金属薄板材料を切断、穴明け加工、絞り加工等を板金加工法で製造、加工されるものであり、外形ゝ状、外形寸法、板厚等は扉１０の扉表面の材質、色、デザイン等の諸条件に合わせて選定、設計される。
【００２０】
図２の実施形態では、正方形ないし長方形の角形ゝ状が選定された場合を示しており、同金属フランジ５０の本体部５１における角形全周には扉１０への装着時に扉表面に当接する折り返し部５２が形成され、又本体部５１の略中央部には上述した透光外側筒要素４０の筒部４１における先端が嵌め込まれる円孔５３と該筒部４１の縦溝４３に嵌着されて結合効果を発揮する一対の結合爪５４とが設けられている。この一対の結合爪５４は円孔５３の周囲の二位置で上記二筋の縦溝４３に整合した位置に折り曲げ加工法で形成され、金属素材に由来した適宜の弾性力を有することで、縦溝４３に押し込むように嵌着されると、筒部４１の端部に金属フランジ５０を強固に固定する効果を奏するものである。
【００２１】
金属フランジ５０は、その本体部５１が、選定された金属材料の肌色や材質に基づく風味等で扉１０の扉表面１２に取付けられたとき、扉１０のデザイン性に整合したデザイン効果を発揮することとなる。また、金属フランジ５０の周囲に折り返し部５２を有し、扉表面１２にこの折り返し部５２が当接していることで、金属フランジ５０の縁部位にエッジが形成される危惧が無くなる効果を奏するものである。
【００２２】
図３は、上述した透光内側筒要素２６と透光外側筒要素４０とから成る透光体２４が扉１０の開口１６に装着されてドアスコープ２０を構成した状態を示す断面図である。扉１０の室内側の表面１４からは、透光内側筒要素２６が挿通、装着され、フランジ２８が当接している。
なお、金属フランジ５０の折り返し部５２による扉表面１２との間の隙間をやや拡大的に図示してあるが、折り返し部５２は通常は高々１ミリメートル程度の高さであり、人が手触りで触れた際にも極端な突起体の存在とは感じない程度に形成され、フランジ本体部５１の周囲にエッジ感触を感じさせない程度であると認識して良いものである。また、明示されていないが、ドアスコープ２０は、その透光内側筒要素２６及び透光外側筒要素４０の端部に透光性を助長するレンズや光散乱部材を具備して構成となっているものと理解して良い。
【００２３】
図４は、金属フランジ５０を単独に拡大図示したものであり、結合爪５４、５４が円孔５３の周囲から曲げ加工法で形成され、必要に応じて爪先端に突起５５等を設けて結合効果を向上させることも可能であることを示している。
【００２４】
また、図５は、金属フランジ５０を図４に示した角形ゝ状とは異なる外形が円形ゝ状を有するように設計、製造した例を示したものである。本例でも金属フランジ６０のフランジ本体部６１の全外周に折り返し部６２が設けられ、また中心領域に円孔６３が設けられている。そして、円孔６３の周囲の二位置から結合爪６４、６４が折り曲げ形成されている点は、前述の角形の金属フランジ５０と同様である。
【００２５】
そして、同金属フランジ６０の中心領域に設けられた円孔６３に透光外側筒要素４０の先端部位が嵌合され、結合爪６４、６４を透光外側筒要素４０の筒体４１に設けた縦溝４３に嵌着、結合させる構成と成っている。なお、金属フランジの外形ゝ状は、上述した角形や円形に限ることなく、デザイン的な要請に応じて例えば、星形等を選定しても良いことは言うまでもない。
【００２６】
また、図には明示しないが、金属フランジ５０又は６０をドアスコープ２０の透光筒体２４を構成する透光外側筒要素４０と透光内側筒要素２６との両者の端部に形成して扉１０の室内側の扉表面と室外側の扉表面との両面に金属フランジを取付けた構成のドアスコープとすることも可能である。その場合には、図２に示した透光内側筒要素２６における一体のフランジ部２８を排して、代わりに金属フランジ５０又は６０を上述の透光外側筒要素４０の場合と同様に結合爪等を用いて結合させれば良い。また、結合爪５４、５４又は６４、６４を用いた結合部に接着剤を塗布して接着により結合強度を高める構成として
も良い。
【００２７】
図６は、本発明の実施形態に係るドアスコープ２０を扉１０の扉表面１２における人の目線位置と異なり、扉開閉取っ手１５が取付けられた扉端面１１に近い取付板１５aの内
部に設け、取っ手１５の操作のために人が目線をその取付板１５aの部分に向けたとき、
おのずからドアスコープ２０における透光の有無を確認できる構成としても良い。
以上、本発明を幾つかの実施形態の例を図示して説明したが、ドアスコープの扉表面への装着を安定化させると共に外観的なデザイン機能をも発揮させる構成とした金属フランジに付いては、図示例の外形ゝ状に限定されことなく種々の外形形状を採用可能であることを理解すべきである。また、金属フランジの金属材料、寸法等も図示例と異なる種類を選択し得ること言うまでもない。
【図面の簡単な説明】
【００２８】
【図１】本発明の一実施形態に係るドアスコープを扉の扉面における目線位置に装着した例を示す略示斜視図、
【図２】本発明の一実施形態に係るドアスコープを構成する透光外側筒要素と透光内側筒要素とから成る透光筒体の構成を図示した分解斜視図、
【図３】図２に示したドアスコープの取付け状態における断面図、
【図４】金属フランジの一実施形態に係る角形ゝ状の例を示す斜視図、
【図５】金属フランジの他の一実施形態に係る円形ゝ状の例を示す斜視図、
【図６】本発明の他の一実施形態に係るドアスコープを扉の扉面における取っ手配設位置の近くに装着した例を示す略示斜視図。
【符号の説明】
【００２９】
１０：扉
１２：扉の表面
１４：扉の表面
１５：取っ手
１５a：取付板
１６：開口
２０：ドアスコープ
２２：透光孔
２４：透光筒体
２６：透光内側筒要素
２７：筒部
２８：フランジ部
２９：凹溝
３１：円筒孔
３２：オーリング
４０：透光外側筒要素
４１：筒部
４２：円筒孔
４３：縦溝
５０：金属フランジ
５１：本体部
５２：折り返し部
５３：円孔
５４：結合爪
５５：突起
６０：金属フランジ
６１：本体部
６２：折り返し部
６３：円孔
６４：結合爪
【図１】
2006057310.tif 000003
【図２】
2006057310.tif 000004
【図３】
2006057310.tif 000005
【図４】
2006057310.tif 000006
【図５】
2006057310.tif 000007
【図６】
2006057310.tif 000008